(57)【要約】【課題】  視認性の向上や作業員の安全対策を行い、工事の生産性を加速させ、さらに近隣住民へ配慮を向上させる作業現場用サイネージシステムを提供する。【解決手段】  表示制御装置３１は、表示装置１１に表示する単数又は複数の画像を選択し、当該選択した画像の前記表示装置への表示形態を指定する管理者用選択画面の表示処理を行う。管理者用選択画面で選択された画像を、指定された形態で前記表示装置に表示する表示処理を行う。管理者用選択画面を表示制御装置３１のディスプレイに表示し、当該画面を用いて、表示装置１１に表示する単数又は複数の画像を選択する。【選択図】図１
2019219870.tif 000002
【特許請求の範囲】
【請求項１】
屋外の作業現場に設けられた表示装置と、
前記表示装置と通信ネットワークを介して通信を行い、前記表示装置に表示する画像を制御する表示制御装置とを有し、
前記表示制御装置は、
前記表示装置に複数に表示された選択用画像が選択された場合に、当該選択された画像の前記表示装置への表示形態を指定する管理者用選択画面の表示処理と、
前記管理者用選択画面で選択された画像を、前記指定された形態で前記表示装置に表示する表示処理とを行い、
前記表示装置又は前記表示制御装置は、
環境検出装置が検出した前記作業現場の環境計測情報の指標が示す数値の数値画像と、前記環境計測情報が示す指標のレベルに応じて規定された複数のイメージ画像とから構成される複数の表示画像情報を、前記環境計測情報に対応付けて記憶し、
前記検出された環境計測情報に対応付けられた前記表示画像情報を特定し、
当該特定した表示画像情報に応じた表示画像の表示処理を行う
作業現場用サイネージシステム。
【請求項２】
屋外の作業現場に設けられた表示装置と、
前記表示装置と通信ネットワークを介して通信を行い、前記表示装置に表示する画像を制御する表示制御装置とを有し、
前記表示制御装置は、
前記表示装置に複数に表示された選択用画像が選択された場合に、当該選択された画像の前記表示装置への表示形態を指定する管理者用選択画面の表示処理と、
前記管理者用選択画面で選択された画像を、前記指定された形態で前記表示装置に表示する表示処理とを行い、
前記表示装置又は前記表示制御装置は、
環境検出装置が検出した前記作業現場の環境計測情報を数値で表示するための数値画像と、前記環境計測情報が示す指標のレベルに応じて規定された複数のイメージ画像とを、それぞれ前記環境計測情報に対応付けて記憶し、
前記検出された環境計測情報に対応付けられた、当該環境計測情報に対応する前記数値画像と、前記イメージ画像とを特定し、
当該特定した数値画像と前記イメージ画像とを関連付けて１画面の表示画像情報を生成し、
当該生成した表示画像に応じた表示画像の表示処理を行う
作業現場用サイネージシステム。
【請求項３】
第１の前記環境計測情報に対応する第１の前記数値画像及び第１の前記イメージ画像と、
第２の前記環境計測情報に対応する第２の前記数値画像及び第２の前記イメージ画像と
を特定し、
前記特定した前記第１の数値画像と前記第１のイメージ画像とが関連付けられた第１の表示画像と、前記特定した前記第２の数値画像と前記第２のイメージ画像とが関連付けられた第２の表示画像とを含む１画面の前記表示画像情報を生成する
請求項１又は請求項２に記載の作業現場用サイネージシステム。
【請求項４】
前記環境計測情報に基づいて、前記第１の表示画像及び前記第２の表示画像の表示形態を決定する
請求項３に記載の作業現場用サイネージシステム。
【請求項５】
複数の前記表示装置を有し、
前記複数の表示装置は、同一の前記環境計測情報について、個々の前記表示装置の属性を応じた異なる前記イメージ画像が対応付けており、
当該対応付けられた前記イメージ画像に応じた表示処理を行う
請求項１〜４のいずれかに記載の作業現場用サイネージシステム。
【請求項６】
前記表示装置又は前記表示制御装置は、
前記表示装置の表示処理に用いられ、前記環境計測情報に対応付けられた異なる複数の第１の前記イメージ画像と、
前記作業現場の作業員の携帯通信装置の画面への表示処理に用いられ、前記環境計測情報にそれぞれ対応付けられ、同一の前記環境計測情報に対応付けられた前記第１のイメージ画像とは異なる複数の第２のイメージ画像とを有し、
前記検出された環境計測情報を基に、前記表示装置には前記第１のイメージ画像に応じた表示画像を表示する処理を行い、前記携帯端末装置には前記第２のイメージ画像に応じた表示画像を表示する処理を行う
請求項３〜５のいずれかに記載の作業現場用サイネージシステム。
【請求項７】
前記第１のイメージ画像及び前記第２のイメージ画像の前記環境計測情報への対応付けは、前記作業現場の周囲の環境、時間帯、気温、作業現場の作業内容、表示相手の属性の項目のうち、少なくとも２つ以上の項目の組み合わせによって規定されている
請求項６に記載の作業現場用サイネージシステム。
【請求項８】
前記表示装置又は前記表示制御装置は、前記第２のイメージ画像に応じた表示画像と前記環境計測情報とを前記携帯端末装置に送信し
前記携帯端末装置は、受信した前記表示画像を、前記環境計測情報と予め設定された設定情報とを基に画像処理を行って生成した新たな表示画像を表示する
請求項６又は請求項７に記載の作業現場用サイネージシステム。
【請求項９】
前記イメージ画像は、前記作業現場の周囲の環境、時間帯、気温、作業現場の作業内容、表示相手の属性別に、同一の前記環境計測情報の前記指標のレベルに応じて異なる複数のイメージ画像を有し、
前記表示装置又は前記表示制御装置は、
前記検出された環境計測情報を基に、予め指定された環境に応じて、前記環境計測情報に対応する前記数値画像と、前記イメージ画像とを特定する
請求項１〜８のいずれかに記載の作業現場用サイネージシステム。
【請求項１０】
任意に設定したタイミングで取得した前記環境計測情報を基に、その平均値算出、最大値あるいは最小値の特定を行って前記環境計測情報を生成する
請求項１〜９に記載の作業現場用サイネージシステム。
【請求項１１】
前記表示装置又は前記表示制御装置は、
複数の種類の前記環境計測情報を１画面に表示し、各環境計測情報の項目の横にはグラフ表示ボタンを配置し、
当該グラフ表示ボタンが操作されると、それに対応した環境計測情報の項目の履歴情報を読み出して、当該履歴情報に応じた画像を表示する
請求項１〜１０のいずれかに記載の作業現場用サイネージシステム。
【請求項１２】
屋外の作業現場に設けられた表示装置と、
前記表示装置と通信ネットワークを介して通信を行い、前記表示装置に表示する画像を制御する表示制御装置とを用いて行う作業現場用サイネージ制御方法であって、
前記表示装置又は前記表示制御装置は、環境検出装置が検出した前記作業現場の環境計測情報の指標が示す数値の数値画像と、前記環境計測情報が示す指標のレベルに応じて規定された複数のイメージ画像とから構成される複数の表示画像情報を、前記環境計測情報に対応付けて記憶しており、
前記表示制御装置が、前記表示装置に複数に表示された選択用画像が選択された場合に、当該選択された画像の前記表示装置への表示形態を指定する管理者用選択画面の表示処理を行う第１の工程と、
前記表示制御装置が、前記管理者用選択画面で選択された画像を、前記指定された形態で前記表示装置に表示する表示処理とを行う第２の工程と、
前記表示装置又は前記表示制御装置が、環境検出装置が検出した前記作業現場の環境計測情報に対応付けられた前記表示画像情報を特定する第３の工程と、
当該特定した表示画像情報に応じた表示画像の表示処理を行う第４の工程と
を有する作業現場用サイネージ制御方法。
【請求項１３】
屋外の作業現場に設けられた表示装置であって、
前記作業現場に設けられた環境検出装置が検出した前記作業現場の環境計測情報を数値で表示するための数値画像と、前記環境計測情報が示す指標のレベルに応じて規定された複数のイメージ画像とを、それぞれ前記環境計測情報に対応付けて記憶し、
前記検出された環境計測情報に対応付けられた、当該環境計測情報に対応する前記数値画像と、前記イメージ画像とを特定し、
当該特定した数値画像と前記イメージ画像とを関連付けて１画面の表示画像情報を生成し、
当該生成した表示画像に応じた表示画像の表示処理を行う
表示装置。
【発明の詳細な説明】
【技術分野】
【０００１】
本発明は、工事現場等の屋外において、作業者用表示画像と近隣住民用表示画像を表示できる作業現場用サイネージシステム、表示装置及びその方法に関するものである。
【背景技術】
【０００２】
工事現場では、近年、作業員の高齢化が進み、また、政府の働き方改革による生産性向上が急務となっている。さらに、近隣住民用に工事概要の丁寧な説明やコミュニケーションをとる必要がある。
【先行技術文献】
【特許文献】
【０００３】
【特許文献１】特開２０１４−２０３２７３号公報
【発明の概要】
【発明が解決しようとする課題】
【０００４】
ところで、視認性の向上や作業員の安全対策を行い、工事の生産性を加速させ、さらに近隣住民へ配慮を向上させたいという要請がある。
【０００５】
本発明はかかる事情に鑑みてなされたものであり、その目的は、視認性の向上や作業員の安全対策を行い、工事の生産性を加速させ、さらに近隣住民へ配慮を向上させる作業現場用サイネージシステム、表示装置及び作業現場用サイネージ制御方法を提供することにある。
【課題を解決するための手段】
【０００６】
上述した従来技術の問題点を解決し、上述した目的を達成するために、本発明の第１の観点の作業現場用サイネージシステムは、屋外の作業現場に設けられた表示装置と、前記表示装置と通信ネットワークを介して通信を行い、前記表示装置に表示する画像を制御する表示制御装置とを有し、前記表示制御装置は、前記表示装置に複数に表示された選択用画像が選択された場合に、当該選択された画像の前記表示装置への表示形態を指定する管理者用選択画面の表示処理と、前記管理者用選択画面で選択された画像を、前記指定された形態で前記表示装置に表示する表示処理とを行い、前記表示装置又は前記表示制御装置は、環境検出装置が検出した前記作業現場の環境計測情報の指標が示す数値の数値画像と、前記環境計測情報が示す指標のレベルに応じて規定された複数のイメージ画像とから構成される複数の表示画像情報を、前記環境計測情報に対応付けて記憶し、前記検出された環境計測情報に対応付けられた前記表示画像情報を特定し、当該特定した表示画像情報に応じた表示画像の表示処理を行う。
【０００７】
本発明の第２の観点の作業現場用サイネージシステムは、屋外の作業現場に設けられた表示装置と、前記表示装置と通信ネットワークを介して通信を行い、前記表示装置に表示する画像を制御する表示制御装置とを有し、前記表示制御装置は、前記表示装置に複数に表示された選択用画像が選択された場合に、当該選択された画像の前記表示装置への表示形態を指定する管理者用選択画面の表示処理と、前記管理者用選択画面で選択された画像を、前記指定された形態で前記表示装置に表示する表示処理とを行い、前記表示装置又は前記表示制御装置は、環境検出装置が検出した前記作業現場の環境計測情報を数値で表示するための数値画像と、前記環境計測情報が示す指標のレベルに応じて規定された複数のイメージ画像とを、それぞれ前記環境計測情報に対応付けて記憶し、前記検出された環境計測情報に対応付けられた、当該環境計測情報に対応する前記数値画像と、前記イメージ画像とを特定し、当該特定した数値画像と前記イメージ画像とを関連付けて１画面の表示画像情報を生成し、当該生成した表示画像に応じた表示画像の表示処理を行う。
【０００８】
好適には、第１の前記環境計測情報に対応する第１の前記数値画像及び第１の前記イメージ画像と、第２の前記環境計測情報に対応する第２の前記数値画像及び第２の前記イメージ画像とを特定し、前記特定した前記第１の数値画像と前記第１のイメージ画像とが関連付けられた第１の表示画像と、前記特定した前記第２の数値画像と前記第２のイメージ画像とが関連付けられた第２の表示画像とを含む１画面の前記表示画像情報を生成する。
【０００９】
好適には、前記環境計測情報に基づいて、前記第１の表示画像及び前記第２の表示画像の表示形態を決定する。
【００１０】
好適には、複数の前記表示装置を有し、前記複数の表示装置は、同一の前記環境計測情報について、個々の前記表示装置の属性を応じた異なる前記イメージ画像が対応付けており、当該対応付けられた前記イメージ画像に応じた表示処理を行う。
【００１１】
好適には、前記表示装置又は前記表示制御装置は、前記表示装置の表示処理に用いられ、前記環境計測情報に対応付けられた異なる複数の第１の前記イメージ画像と、前記作業現場の作業員の携帯通信装置の画面への表示処理に用いられ、前記環境計測情報にそれぞれ対応付けられ、同一の前記環境計測情報に対応付けられた前記第１のイメージ画像とは異なる複数の第２のイメージ画像とを有し、前記検出された環境計測情報を基に、前記表示装置には前記第１のイメージ画像に応じた表示画像を表示する処理を行い、前記携帯端末装置には前記第２のイメージ画像に応じた表示画像を表示する処理を行う。
【００１２】
好適には、前記第１のイメージ画像及び前記第２のイメージ画像の前記環境計測情報への対応付けは、前記作業現場の周囲の環境、時間帯、気温、作業現場の作業内容、表示相手の属性の項目のうち、少なくとも２つ以上の項目の組み合わせによって規定されている。
【００１３】
好適には、前記表示装置又は前記表示制御装置は、前記第２のイメージ画像に応じた表示画像と前記環境計測情報とを前記携帯端末装置に送信し、前記携帯端末装置は、受信した前記表示画像を、前記環境計測情報と予め設定された設定情報とを基に画像処理を行って生成した新たな表示画像を表示する。
【００１４】
好適には、前記イメージ画像は、前記作業現場の周囲の環境、時間帯、気温、作業現場の作業内容、表示相手の属性別に、同一の前記環境計測情報の前記指標のレベルに応じて異なる複数のイメージ画像を有し、前記表示装置又は前記表示制御装置は、前記検出された環境計測情報を基に、予め指定された環境に応じて、前記環境計測情報に対応する前記数値画像と、前記イメージ画像とを特定する。
【００１５】
好適には、任意に設定したタイミングで取得した前記環境計測情報を基に、その平均値算出、最大値あるいは最小値の特定を行って前記環境計測情報を生成する。
【００１６】
好適には、前記表示装置又は前記表示制御装置は、複数の種類の前記環境計測情報を１画面に表示し、各環境計測情報の項目の横にはグラフ表示ボタンを配置し、当該グラフ表示ボタンが操作されると、それに対応した環境計測情報の項目の履歴情報を読み出して、当該履歴情報に応じた画像を表示する。
【００１７】
屋外の作業現場に設けられた表示装置と、前記表示装置と通信ネットワークを介して通信を行い、前記表示装置に表示する画像を制御する表示制御装置とを用いて行う作業現場用サイネージ制御方法であって、前記表示装置又は前記表示制御装置は、環境検出装置が検出した前記作業現場の環境計測情報の指標が示す数値の数値画像と、前記環境計測情報が示す指標のレベルに応じて規定された複数のイメージ画像とから構成される複数の表示画像情報を、前記環境計測情報に対応付けて記憶しており、前記表示制御装置が、前記表示装置に複数に表示された選択用画像が選択された場合に、当該選択された画像の前記表示装置への表示形態を指定する管理者用選択画面の表示処理を行う第１の工程と、前記表示制御装置が、前記管理者用選択画面で選択された画像を、前記指定された形態で前記表示装置に表示する表示処理とを行う第２の工程と、前記表示装置又は前記表示制御装置が、環境検出装置が検出した前記作業現場の環境計測情報に対応付けられた前記表示画像情報を特定する第３の工程と、当該特定した表示画像情報に応じた表示画像の表示処理を行う第４の工程とを有する。
【００１８】
本発明の表示装置は、屋外の作業現場に設けられた表示装置であって、前記作業現場に設けられた環境検出装置が検出した前記作業現場の環境計測情報を数値で表示するための数値画像と、前記環境計測情報が示す指標のレベルに応じて規定された複数のイメージ画像とを、それぞれ前記環境計測情報に対応付けて記憶し、前記検出された環境計測情報に対応付けられた、当該環境計測情報に対応する前記数値画像と、前記イメージ画像とを特定し、当該特定した数値画像と前記イメージ画像とを関連付けて１画面の表示画像情報を生成し、当該生成した表示画像に応じた表示画像の表示処理を行う。
【発明の効果】
【００１９】
本発明によれば、視認性の向上や作業員の安全対策を行い、工事の生産性を加速させ、さらに近隣住民へ配慮を向上させる作業現場用サイネージシステム、表示装置及び作業現場用サイネージ制御方法を提供することができる。
【図面の簡単な説明】
【００２０】
【図１】図１は、本発明の第１実施形態に係る作業現場用サイネージシステムの全体構成図である。
【図２】図２は、図１に示す表示装置の構成図である。
【図３】図３は、図１及び図２に示す表示装置のタッチパネルディスプレイに表示されるメニュー画面の一例である。
【図４】図４は、表示制御装置に表示される管理者用選択画面を説明するための図である。
【図５】図５は、表示制御装置に表示される管理者用選択画面を説明するための図である。
【図６】図６は、表示装置に表示される騒音を表示する画像を説明するための図である。
【図７】図７は、表示装置に表示される近隣住民用の工事予定画像を説明するための図である。
【図８】図８は、表示装置に表示されるペイント画像を説明するための図である。
【図９】図９は、本発明の第２実施形態における数値画像、イメージ画像及び表示画像情報の一例を示す図である。
【図１０】図１０は、本発明の第２実施形態における数値画像、イメージ画像及び表示画像情報の一例を示す図である。
【図１１】図１１は、本発明の第２実施形態における数値画像、イメージ画像及び表示画像情報の一例を示す図である。
【図１２】図１２は、本発明の第２実施形態に係わる表示装置の処理を説明するための図である。
【図１３】図１３は、本発明の第３実施形態に係わる表示装置の処理を説明するための図である。
【発明を実施するための形態】
【００２１】
以下、本発明の実施形態に係る作業現場用サイネージシステムについて説明する。
［第１実施形態］
図１は、本発明の実施形態に係る作業現場用サイネージシステム１の全体構成図である。
図１に示すように、作業現場用サイネージシステム１は、例えば、騒音・振動検出器５、表示装置１１及び表示制御装置３１を有する。
また、作業現場用サイネージシステム１は、携帯通信端末装置１３及び情報提供サーバ２１とも通信を行う。
【００２２】
騒音・振動検出器５、表示装置１１及び携帯通信端末装置１３は、例えば、屋外などの工事現場７に位置している。
また、表示装置、携帯通信端末装置１３、情報提供サーバ２１及び表示制御装置３１は、インターネット等の通信ネットワーク９を介して通信を行う。
【００２３】
本実施形態において記載する表示装置１１又は表示制御装置３１の一方の処理の少なくとも一部は、他方の装置で実行するようにしてもよい。
【００２４】
騒音・振動検出器５は、工事現場７の騒音及び振動の少なくとも一方を検出し、検出結果を環境計測情報として表示装置１１及び表示制御装置３１の少なくとも一方に送信する。
騒音・振動検出器５は、その他、工事現場７気温、湿度、風向き、天気の少なくとも一つオの環境計測情報を検出する環境検出装置であててもよい。
騒音・振動検出器５は、上記環境計測情報をアナログ信号で表示装置１１に出力して表示させるようにしてもよい。
【００２５】
また、騒音・振動検出器５は、上記環境計測情報をデジタルで表示装置１１、携帯通信端末装置１３及び表示制御装置３１の少なくとも一つに送信する。
騒音・振動検出器５としては、表示機能を備えていない安価なものを用いることができる。
また、騒音・振動検出器５は、例えば、マイクに防風カバーを付けた防雨構造の騒音計である。
また、騒音・振動検出器５は、例えば、円柱型の金属筐体に振動計を入れた構造をしている。
【００２６】
作業現場用サイネージシステム１では、騒音・振動検出器５で検出した環境計測情報を作業者が携帯通信端末装置１３に送信することで、作業者は自らが行った作業によって生じた騒音・振動を知ることができ、騒音・振動を抑えた作業を行うための参考にすることができる。
また、携帯通信端末装置１３にインストールしたアプリケーションプログラムにより、騒音・振動検出器５から受信した環境計測情報が、予め決めた条件を満たした場合に、アラーム音あるいはアラーム表示を出力するようにしてもよい。
例えば、計測期間内に規定値を超える騒音や振動が生じなかった場合には、携帯通信端末装置１３の画面に「おめでとう」等の作業者をねぎらうメッセージを表示したり、任意の規定値を超えた場合に、段階的に黄色、赤色のパトランプ画像を表示するようにしてもよい。また、規定値を超えた場合に、警報音等を出力するようにしてもよい。
【００２７】
［表示装置１１（デジタルサイネージ）］
以下、表示装置１１について説明する。
図２は、図１に示す表示装置１１の構成図である。
図２に示すように、表示装置１１は、例えば、タッチパネルディスプレイ５１、通信部５３、操作部５５、メモリ５７及び処理部５９を有する。
【００２８】
タッチパネルディスプレイ５１は、作業者用表示画像及び近隣住民用表示画像等の複数の画像を同時にあるいは選択的に表示する。
タッチパネルディスプレイ５１に表示される画像には、騒音・振動検出器５で検出された騒音又は振動等の環境計測情報がある。
【００２９】
図３は、図１及び図２に示す表示装置１１のタッチパネルディスプレイ５１に表示されるメニュー画面の一例である。
タッチパネルディスプレイ５１には、例えば、図３に示すように、表示可能な複数の選択用画像のサムネイルを含む管理者用選択画面が表示される。サムネイル画像を指等で触れることで拡大（全画面）表示される。
タッチパネルディスプレイ５１に表示される画像としては、例えば、ＫＹ活動画、作業対象の図面、ペイン画面、週刊作業予定、企業のホームページ、騒音・振動、今日の占い、今日の千支占い等の作業者用表示画像及近隣住民用表示画像である。
【００３０】
タッチパネルディスプレイ５１は、ユーザによって指等で画面がタッチされると、そのタッチした位置情報を処理部５９に出力する。
【００３１】
通信部５３は、騒音・振動検出器５、携帯通信端末装置１３、情報提供サーバ２１及び表示制御装置３１と通信を行うインタフェースである。
【００３２】
操作部５５は、電源をオン／オフ等する操作スイッチである。
【００３３】
処理部５９は、表示制御装置３１からの信号、あるいはタッチパネルディスプレイ５１からの操作信号に基づいて、タッチパネルディスプレイ５１の画面表示制御を行う。
処理部５９は、騒音・振動検出器５が検出した騒音・振動の環境計測情報を、工事現場７の作業者が持つ携帯通信端末装置１３に送信して表示あるいは音響出力させる。
【００３４】
処理部５９は、タッチパネルディスプレイ５１からの操作信号を基にメニュー画面等において表示した複数の前記画像のうち、タッチされた画像をタッチから時刻情報と共に特定するタッチ情報を生成し、これをメモリ５７に記憶する。
処理部５９は、所定のタイミングで、メモリ５７かタッチ情報を読み出して表示制御装置３１に出力する。
【００３５】
タッチパネルディスプレイ５１は、例えば、建設現場用単管パイプによって取り付けが可能、背面の突起物が単管パイプと直交することによる前後距離調整が可能な鋼構造をしている。
タッチパネルディスプレイ５１は、例えば、近隣住民用のデジタルサイネージとして用いられ、１０００×１０００ｍｍのサイズで構成され、建設現場用安全鋼板の５００ｍｍピッチ２枚分のサイズに合う構成になっている。
【００３６】
タッチパネルディスプレイ５１は、常にリモート管理サービスにて遠隔管理され、遠方より設定変更、稼働管理ができる仕組みになっている。
タッチパネルディスプレイ５１に表示される近隣住民用の週間工程表は、表示制御装置３１経由で更新が可能で、スマートフォン、タブレット、パーソナルコンピューターで書き換え更新が可能である。
【００３７】
また、タッチパネルディスプレイ５１に表示される画面の１つの窓には、携帯型端末装置への表示、写真表示、動画表示、ユーチューブ表示、各種センサー表示、ＵＲＬ表示、お絵かき画面、週間工程表、占い、天気情報、監視カメラの映像のうち少なくとも１つが表示でき、画面構成の入れ替え、自動スライドショーのタイマー設定、パワーポイント等で作成されたコンテンツを自動再生させる年間プログラムタイマーで構成され、それぞれの音声警報が出力される。
【００３８】
［表示制御装置３１（クラウンドサーバ）］
表示制御装置３１は、工事現場７以外の場所に設けられ、通信ネットワーク９を介して騒音・振動検出器５、表示装置１１及び携帯通信端末装置１３と通信を行う。
表示制御装置３１は、アプリケーションプログラムＡＰを実行することで、本実施形態で規定する機能を実現する。
【００３９】
表示制御装置３１は、表示装置１１に表示する単数又は複数の画像を選択し、当該選択した画像の前記表示装置への表示形態を指定する管理者用選択画面の表示処理を行う。
表示制御装置３１は、管理者用選択画面で選択された画像を、指定された形態で前記表示装置に表示する表示処理を行う。具体的には、図４及び図５に示す管理者用選択画面を表示制御装置３１のディスプレイに表示し、当該画面を用いて、表示装置１１に表示する単数又は複数の画像を選択する。また、このとき、選択した各画像を表示する画面上の位置、表示時間等を入力する。
【００４０】
表示制御装置３１の制御により、表示される画像として、図６に示す騒音を表示する画像、図７に示す近隣住民用の工事予定画像、図８に示すペイ画像等がある。図８に示すペイント画像により、屋外の工事現場７でペイント機能を使って作業打合せができる。
【００４１】
表示制御装置３１は、騒音・振動検出器５が検出した騒音又は振動等の環境計測情報を基に、当該環境計測情報を示す画像を表示装置１１に表示する表示処理を行う。表示制御装置３１による表示処理は、上述した画像を表示を行う処理である。
【００４２】
表示制御装置３１は、表示装置１１から前述したタッチ情報を受信し、それをメモリに記憶する。そして、表示制御装置３１は、当該タッチ情報を基に、ユーザによる表示装置１１の画面の選択状況をレポートしたレポート情報を生成する。このとき、表示装置１１に操作するユーザを写し出すカメラを設け、そのカメラの画像からユーザの性別、年齢等を判別し、上記レポート情報に加えてもよい。
【００４３】
表示制御装置３１は、工事現場７の作業者が身に着けたウエアラブルセンサーから検出データを例えば携帯通信端末装置１３を介して受信し、当該検出データを基に、作業の危険度、作業員の位置、健康状態を一覧で表示装置に表示する処理を行う。気象情報を基に熱中症注意情報を出力してもよい。
表示制御装置３１は、作業の危険度及び健康状態の特定処理を、情報提供サーバ２１あるいは自らがインストールしたアプリケーションの機能を使って実現する。
【００４４】
表示制御装置３１は、過去事故データを基に規定された事故防止警告を表示する時間帯及び曜日になると、当該時間帯及び曜日に予め対応付けられた事故防止警報画像を表示装置１１に表示させる。
【００４５】
表示制御装置３１は、通信ネットワーク９を介して情報提供サーバ２１等から受信した天気情報又は警報情報を基に、警報画像を表示装置１１に表示される。
【００４６】
また、表示制御装置３１は、工事現場７において例えばコンクリート打設工事が行われている場合に、ミキサー車渋滞、ＧＰＳ（運航管理状況）ミキサー車の運行状況等の情報を情報提供サーバ２１等から受信し、その情報を表示装置１１に表示させる。
ミキサー車以外に、例えば、ダンプカー、作業船等でもよい。
【００４７】
また、表示制御装置３１は、管理者の操作に応じて、近隣への作業状況表を生成し、その画像を表示装置１１に表示させる。
【００４８】
表示制御装置３１は、工事現場７における事故の発生を予測した報告情報を基に生成された、事故の種類と、曜日、時間、天候及び気温の少なくとも一つの属性とを対応付けた警報情報を、当該警報情報を出力する予め決められたタイミングで表示装置１１に表示させる処理を行う。これにより、ＫＹ活動を効果的に行うことができる。
上記報告情報は、想定ヒヤリ、兆候の発見、ニアミス、警備な物損等を報告するヒアリ・ハット報告情報である。
携帯通信端末装置１３等を用いて作業者から送信された上記報告情報は、情報提供サーバ２１や表示制御装置３１等の学習・推論（ＡＩ）プログラムにより処理され、将来発生する可能性がある事故等の条件が分析され、それを回避するための警告情報が生成される。
【００４９】
表示制御装置３１は、ウェブページを更新すると同様の簡単な操作で表示装置１１の画像を更新できる。
【００５０】
以上説明したように、作業現場用サイネージシステム１によれば、表示装置１１に、作業者用表示画像及び近隣住民用表示画像の双方を表示でき、個別に設ける場合に比べて安価に提供できる。
【００５１】
また、作業現場用サイネージシステム１によれば、表示装置１１に表示する画面の画像を、通信ネットワーク９を介して表示制御装置３１により遠隔制御できる。これにより、表示装置１１にその環境に応じた適切な画像を表示できる。
【００５２】
また、作業現場用サイネージシステム１によれば、工事現場７に配置された表示機能を備えない安価な騒音・振動検出器５からの環境儒情報を表示装置１１にリアルタイムに表示できる。
【００５３】
また、作業現場用サイネージシステム１によれば、騒音・振動検出器５からの環境計測情報を作業者の携帯通信端末装置１３にリアルタイムに表示でき、それを見た作業者のその後の作業方法の参考にできる。
【００５４】
［第２実施形態］
本実施形態においては、表示装置１１又は表示制御装置３１は、騒音・振動検出器５が検出した環境計測情報の指標が示す数値の数値画像７１と、当該環境計測情報が示す指標のレベルに応じて規定された複数のイメージ画像７３とから構成される複数の表示画像情報７５を記憶部に記憶している。
本発明において、イメージ画像には、動画及びアニメーション等の全ての画像が含まれる。
図９、図１０、図１１は、数値画像７１、イメージ画像７３及び表示画像情報７５の一例を示す図である。
【００５５】
環境計測情報が騒音である場合に、50dBと言われてもそれが一体どれくらいの音の大きさなのか、60dBになったらどれくらいうるさくなるか、感覚として把握しにくい。そこで、50dBとか60dBの音がどれくらいの大きさなのかイラストで表現する。騒音振動は目安で表現することが可能である。騒音は生活音、振動は地震を目安に表現することで近隣住民のような専門知識が人にもわかりやすく現状を伝えることが可能である。
【００５６】
しかしながら、騒音振動を身近な音や振動で表現することはできても、どの程度不快な騒音振動かわからなければ、騒音振動元の作業者はなんとなく気を付けるしかない。
【００５７】
本実施形態では、現在の騒音振動がどのくらい人間が不快に感じるのかを図９、図１０、図１１に示すように、イラスト化しリアルタイムで作業者に見せる機能を使用する。そうすることで、現在の自分が出した騒音振動がどのくらい不快だったか、近隣住民の感情スケールが視覚的にわかるので、気を付けなければいけないという意識が自然と働きかけることができる。
例えば、下記のようにすやすや寝ていた赤ちゃんがだんだん不快な顔になり、泣いてしまう。さらに大きな音を出すと母親から注意があり、もっと大きな音を出すと父親が乗り込みにくる。そして最終的には工事を反対されるほどのクレームへと発展する恐れがあるというストーリーである。
【００５８】
図１２は、本発明の第２実施形態に係わる表示装置１１の処理を説明するための図である。
以下に示す表示装置１１の処理は、表示制御装置３１が実行して表示装置１１のタッチパネルディスプレイ５１に表示させるようにしてもよい。
なお、表示装置１１は、近隣用、現場作業員用、現場監督用（現場事務所用）等の様々な用途に用いられ、その用途に適した場所に配置される。
【００５９】
ステップＳＴ１１：
表示装置１１は騒音・振動検出器５が検出した環境計測情報を受信すると、ステップＳＴ１２に進む。
【００６０】
ステップＳＴ１２：
表示装置１１は、ステップＳＴ１１で受信した環境計測情報に対応付けられた表示画像情報７５を特定する。
【００６１】
ステップＳＴ１３：
表示装置１１は、図９に示すように、ステップＳＴ１２で特定した表示画像情報７５に応じた表示画像の表示処理を行う。
【００６２】
以上説明したように、本実施形態によれば、作業現場において騒音・振動検出器５が検出した環境計測情報を、その指標の数値だけでなく、イメージとして分かり易く表示できる。
【００６３】
［第３実施形態］
本実施形態においては、表示装置１１又は表示制御装置３１は、騒音・振動検出器５が検出した環境計測情報の指標が示す数値の数値画像７１と、当該環境計測情報が示す指標のレベルに応じて規定された複数のイメージ画像７３とのそれぞれを記憶部に記憶している。
【００６４】
図１３は、本発明の第３実施形態に係わる表示装置１１の処理を説明するための図である。
以下に示す表示装置１１の処理は、表示制御装置３１が実行して表示装置１１のタッチパネルディスプレイ５１に表示させるようにしてもよい。
【００６５】
ステップＳＴ２１：
表示装置１１は騒音・振動検出器５が検出した環境計測情報を受信すると、ステップＳＴ２２に進む。
【００６６】
ステップＳＴ２２：
表示装置１１は、ステップＳＴ２１で受信した環境計測情報に対応付けられた数値画像７１を記憶部から読み出す。
【００６７】
ステップＳＴ２３：
表示装置１１は、ステップＳＴ２１で受信した環境計測情報に対応付けられたイメージ画像７３を記憶部から読み出す。
【００６８】
ステップＳＴ２４：
表示装置１１は、ステップＳＴ２２で読み出した数値画像７１と、ステップＳＴ２３で読み出したイメージ画像７３とを関連付けて１画面の表示画像情報７５を生成する。
【００６９】
ステップＳＴ２５：
表示装置１１は、図９に示すように、ステップＳＴ２４で生成した表示画像情報７５に応じた表示画像の表示処理を行う。
【００７０】
以上説明したように、本実施形態によれば、作業現場において騒音・振動検出器５が検出した環境計測情報を、その指標の数値だけでなく、イメージとして分かり易く表示できる。
【００７１】
図１２に示す例において、表示装置１１は、上述した環境計測情報として、複数の環境計測情報、例えば、騒音及び気温を用いてもよい。
この場合に、表示装置１１は、騒音・振動検出器５からの騒音の数値（第１の数値）に対応した第１の数値画像７１と、第１のイメージ画像７３とを記憶部から読み出す。
また、表示装置１１は、騒音・振動検出器５からの気温の数値（第２の数値）に対応した第１の数値画像７１と、第１のイメージ画像７３とを記憶部から読み出す。
【００７２】
そして、表示装置１１は、上記読み出した第１の数値画像７１と第１のイメージ画像７３とが関連付けられた第１の表示画像と、上記読み出した第２の数値画像７１と第２のイメージ画像７３とが関連付けられた第２の表示画像とを含む１画面の表示画像情報を生成する。
【００７３】
また、表示装置１１は、例えば、第１の数値、第２の数値、それ以外の環境計測情報、あるいは環境計測情報以外の情報に基づいて、第１の表示画像と第２の表示画像との表示形態を選択してもよい。
例えば、騒音を示す第１の数値が所定レベルを超えた場合に、それに対応したイメージ画像７３を表示するだけでなく、数値画像７１あるいはイメージ画像７３の表示サイズを大きくしたいしてもよい。
【００７４】
［第１変形例］
例えば、上述した実施形態では、一つの表示装置１１を用いた場合を例示したが、複数の表示装置を用いてもよい。
そして、当該複数の表示装置１１は、同一の前記環境計測情報について、個々の表示装置の属性を応じた異なるイメージ画像が対応付けており、当該対応付けられた前記イメージ画像に応じた表示処理を行うようにしてもよい。
例えば、表示装置１１の作業現場内における位置や、表示相手、あるいは時刻によって、同じ環境計測情報の数値レベルについて異なるイメージ画像を用いて表示を行ってもよい。
ここで、第１のイメージ画像及び第２のイメージ画像の環境計測情報への対応付けは、作業現場の周囲の環境、時間帯、気温、作業現場の作業内容、表示相手の属性の項目のうち、少なくとも２つ以上の項目の組み合わせによって規定されている
【００７５】
［第２変形例］
また、表示装置１１において用いる第１のイメージ画像と、携帯通信端末装置１３において表示させる際に用いるイメージ画像として異なる画像を用いてもよい。これにより、表示装置１１が騒音・振動検出器５から同じ環境計測情報を受信しても、表示装置１１に表示させる第１のイメージ画像と携帯通信端末装置１３に標示させる第２のイメージ画像とを変えることができる。
【００７６】
この場合に、携帯通信端末装置１３の表示画像を全て表示装置１１で生成してもよいし、携帯通信端末装置１３が表示装置１１等から受信した環境計測情報を基にローカルに表示画像を生成してもよい。
すなわち、表示装置１１は、第２のイメージ画像に応じた表示画像と環境計測情報とを携帯通信端末装置１３に送信する。携帯通信端末装置１３は、受信した表示画像を、環境計測情報と予め設定された設定情報とを基に画像処理を行って生成した新たな表示画像を表示する。
【００７７】
［その他の変形例］
上述した実施形態では、環境計測情報が示す数値は騒音値であり、イメージ画像は、人の表情、コメントを示している。
【００７８】
なお、環境計測情報は、例えば、騒音値以外に気温等であってもよい。
また、イメージ画像は、作業現場の周囲の環境（住宅地か商業地か）、時間帯、気温、作業現場の作業内容、表示相手の属性別に、同一の環境計測情報の前記指標のレベルに応じて異なる複数のイメージ画像を記憶部（メモリ５７）に記憶してもよい。
環境計測情報は、振動、騒音、気温、湿度、風向、風速、雨量、暑さ指数（WBGT（湿球黒球温度）の少なくとも一つである。
【００７９】
表示装置１１は、作業現場の周囲の環境（住宅地か商業地か）、時間帯、気温、作業現場の作業内容、表示相手の属性別に、環境計測情報について、それぞれに対応付けられイメージ画像を選択して表示に用いる。
【００８０】
表示装置１１は、例えば、複数の騒音帯に対応付けるイメージ画像を、時刻やその他の要因によって動的に切り替える。例えば、午前9時前と、昼と、夜とで切り替える。また、例えば、気温（窓を開けるような気温どうか）によっても切り替える。
表示装置１１は、例えば、工事現場に住宅街がある場合、ビルディングの場合、郊外の場合によって、それぞれに対応したイメージ画像を選択する。
住宅街の場合は小さい子供とかの人の表情、ビルディング軍の場合は、ガードマンとか、オフィスレディとかの表情等のイメージ画像を用いる。
郊外の場合は、現場監督の表情を示すイメージ画像を用いる。
また、表示装置１１は、複数の表示画像を条件によって組み合わせて使用して表示画像情報を生成するようにしてもよい。
【００８１】
また、表示装置１１は、騒音・振動検出器５から任意に設定したタイミングで取得した環境計測情報を基に、その平均値算出、最大値あるいは最小値の特定（算出）を行って新たな環境計測情報を生成し、これを表示処理に用いてもよい。
例えば、1日分の環境計測情報を帳票出力する。また、計測時間は、環境計測情報の取得に関して、30秒、1分、5分、10分の平均を算出して表示する。
【００８２】
表示装置１１は、複数の種類の環境計測情報を１画面に表示し、各環境計測情報の項目の横にはグラフ表示ボタンを配置する表示をしてもよい。ユーザの操作に応じて、当該グラフ表示ボタンが操作されると、それに対応した環境計測情報の項目の履歴情報を記憶部から読み出して、当該履歴情報に応じた画像を表示する処理を行う。絵コンテを使い、数値を可視化する。
【００８３】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
例えば、上述した表示装置１１及び表示制御装置３１のディスプレイに表示する画像及び画面は一例であり、本発明はこれに限定されるものではない。
また、騒音・振動検出器５として携帯通信端末装置１３の機能を用いてもよい。また、騒音・振動検出器５を表示装置１１に内蔵させてもよい。
【００８４】
また、上述した実施形態では、工事現場７に１台の表示装置１１を配置する場合を例示したが、複数台の表示装置１１を配置してもよい。その場合に、作業者用の表示装置１１と、近隣住民用の表示装置１１を分けて配置してもよい。
また、上述した表示装置１１又は表示制御装置３１の表示処理により、携帯通信端末装置１３の表示画像を生成してもよい。
【産業上の利用可能性】
【００８５】
本発明は、工事現場等の現場で使用されるサイネージシステムに適用可能である。
【符号の説明】
【００８６】
１…作業現場用サイネージシステム
５…騒音・振動検出器
７…工事現場
１１…表示装置
１３…携帯通信端末装置
２１…情報提供サーバ
３１…表示制御装置
５１…タッチパネルディスプレイ
５３…通信部
５５…操作部
５７…メモリ
７１…数値画像
７３…イメージ画像
７５…表示画像情報
【図１】
2019219870.tif 000003
【図２】
2019219870.tif 000004
【図３】
2019219870.tif 000005
【図４】
2019219870.tif 000006
【図５】
2019219870.tif 000007
【図６】
2019219870.tif 000008
【図７】
2019219870.tif 000009
【図８】
2019219870.tif 000010
【図９】
2019219870.tif 000011
【図１０】
2019219870.tif 000012
【図１１】
2019219870.tif 000013
【図１２】
2019219870.tif 000014
【図１３】
2019219870.tif 000015
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
表示装置と通信ネットワークを介して通信を行い、前記表示装置に表示する画像を制御する表示制御装置を有し、
前記表示制御装置は、
前記表示装置に複数に表示された選択用画像が選択された場合に、当該選択された画像の前記表示装置への表示形態を指定する管理者用選択画面の表示処理と、
前記管理者用選択画面で選択された画像を、前記指定された形態で前記表示装置に表示する表示処理とを行い、
前記表示装置又は前記表示制御装置は、
環境検出装置が検出した作業現場の環境計測情報の指標が示す数値の数値画像と、前記環境計測情報が示す指標のレベルに応じて規定された複数のイメージ画像とから構成される複数の表示画像情報を、前記環境計測情報に対応付けて記憶し、
前記検出された環境計測情報に対応付けられた前記表示画像情報を特定し、
当該特定した表示画像情報に応じた表示画像の表示処理を行う
作業現場用サイネージシステム。
【請求項２】
表示装置と通信ネットワークを介して通信を行い、前記表示装置に表示する画像を制御する表示制御装置を有し、
前記表示制御装置は、
前記表示装置に複数に表示された選択用画像が選択された場合に、当該選択された画像の前記表示装置への表示形態を指定する管理者用選択画面の表示処理と、
前記管理者用選択画面で選択された画像を、前記指定された形態で前記表示装置に表示する表示処理とを行い、
前記表示装置又は前記表示制御装置は、
環境検出装置が検出した作業現場の環境計測情報を数値で表示するための数値画像と、前記環境計測情報が示す指標のレベルに応じて規定された複数のイメージ画像とを、それぞれ前記環境計測情報に対応付けて記憶し、
前記検出された環境計測情報に対応付けられた、当該環境計測情報に対応する前記数値画像と、前記イメージ画像とを特定し、
当該特定した数値画像と前記イメージ画像とを関連付けて１画面の表示画像情報を生成し、
当該生成した表示画像に応じた表示画像の表示処理を行う
作業現場用サイネージシステム。
【請求項３】
第１の前記環境計測情報に対応する第１の前記数値画像及び第１の前記イメージ画像と、
第２の前記環境計測情報に対応する第２の前記数値画像及び第２の前記イメージ画像と
を特定し、
前記特定した前記第１の数値画像と前記第１のイメージ画像とが関連付けられた第１の表示画像と、前記特定した前記第２の数値画像と前記第２のイメージ画像とが関連付けられた第２の表示画像とを含む１画面の前記表示画像情報を生成する
請求項１又は請求項２に記載の作業現場用サイネージシステム。
【請求項４】
前記環境計測情報に基づいて、前記第１の表示画像及び前記第２の表示画像の表示形態を決定する
請求項３に記載の作業現場用サイネージシステム。
【請求項５】
複数の前記表示装置を有し、
前記複数の表示装置は、同一の前記環境計測情報について、個々の前記表示装置の属性を応じた異なる前記イメージ画像が対応付けており、
当該対応付けられた前記イメージ画像に応じた表示処理を行う
請求項１〜４のいずれかに記載の作業現場用サイネージシステム。
【請求項６】
前記表示装置又は前記表示制御装置は、
前記表示装置の表示処理に用いられ、前記環境計測情報に対応付けられた異なる複数の第１の前記イメージ画像と、
前記作業現場の作業員の携帯通信装置の画面への表示処理に用いられ、前記環境計測情報にそれぞれ対応付けられ、同一の前記環境計測情報に対応付けられた前記第１のイメージ画像とは異なる複数の第２のイメージ画像とを有し、
前記検出された環境計測情報を基に、前記表示装置には前記第１のイメージ画像に応じた表示画像を表示する処理を行い、前記携帯通信装置には前記第２のイメージ画像に応じた表示画像を表示する処理を行う
請求項３〜５のいずれかに記載の作業現場用サイネージシステム。
【請求項７】
前記第１のイメージ画像及び前記第２のイメージ画像の前記環境計測情報への対応付けは、前記作業現場の周囲の環境、時間帯、気温、作業現場の作業内容、表示相手の属性の項目のうち、少なくとも２つ以上の項目の組み合わせによって規定されている
請求項６に記載の作業現場用サイネージシステム。
【請求項８】
前記表示装置又は前記表示制御装置は、前記第２のイメージ画像に応じた表示画像と前記環境計測情報とを前記携帯通信装置に送信し
前記携帯通信装置は、受信した前記表示画像を、前記環境計測情報と予め設定された設定情報とを基に画像処理を行って生成した新たな表示画像を表示する
請求項６又は請求項７に記載の作業現場用サイネージシステム。
【請求項９】
前記イメージ画像は、前記作業現場の周囲の環境、時間帯、気温、作業現場の作業内容、表示相手の属性別に、同一の前記環境計測情報の前記指標のレベルに応じて異なる複数のイメージ画像を有し、
前記表示装置又は前記表示制御装置は、
前記検出された環境計測情報を基に、予め指定された環境に応じて、前記環境計測情報に対応する前記数値画像と、前記イメージ画像とを特定する
請求項１〜８のいずれかに記載の作業現場用サイネージシステム。
【請求項１０】
任意に設定したタイミングで取得した前記環境計測情報を基に、その平均値算出、最大値あるいは最小値の特定を行って前記環境計測情報を生成する
請求項１〜９のいずれかに記載の作業現場用サイネージシステム。
【請求項１１】
前記表示装置又は前記表示制御装置は、
複数の種類の前記環境計測情報を１画面に表示し、各環境計測情報の項目の横にはグラフ表示ボタンを配置し、
当該グラフ表示ボタンが操作されると、それに対応した環境計測情報の項目の履歴情報を読み出して、当該履歴情報に応じた画像を表示する
請求項１〜１０のいずれかに記載の作業現場用サイネージシステム。
【請求項１２】
表示装置と、
前記表示装置と通信ネットワークを介して通信を行い、前記表示装置に表示する画像を制御する表示制御装置とを用いて行う作業現場用サイネージ制御方法であって、
前記表示装置又は前記表示制御装置は、環境検出装置が検出した作業現場の環境計測情報の指標が示す数値の数値画像と、前記環境計測情報が示す指標のレベルに応じて規定された複数のイメージ画像とから構成される複数の表示画像情報を、前記環境計測情報に対応付けて記憶しており、
前記表示制御装置が、前記表示装置に複数に表示された選択用画像が選択された場合に、当該選択された画像の前記表示装置への表示形態を指定する管理者用選択画面の表示処理を行う第１の工程と、
前記表示制御装置が、前記管理者用選択画面で選択された画像を、前記指定された形態で前記表示装置に表示する表示処理とを行う第２の工程と、
前記表示装置又は前記表示制御装置が、環境検出装置が検出した前記作業現場の環境計測情報に対応付けられた前記表示画像情報を特定する第３の工程と、
当該特定した表示画像情報に応じた表示画像の表示処理を行う第４の工程と
を有する作業現場用サイネージ制御方法。
【請求項１３】
表示装置であって、
作業現場に設けられた環境検出装置が検出した前記作業現場の環境計測情報を数値で表示するための数値画像と、前記環境計測情報が示す指標のレベルに応じて規定された複数のイメージ画像とを、それぞれ前記環境計測情報に対応付けて記憶し、
前記検出された環境計測情報に対応付けられた、当該環境計測情報に対応する前記数値画像と、前記イメージ画像とを特定し、
当該特定した数値画像と前記イメージ画像とを関連付けて１画面の表示画像情報を生成し、
当該生成した表示画像に応じた表示画像の表示処理を行う
表示装置。
【手続補正２】
【補正対象書類名】明細書
【補正対象項目名】０００６
【補正方法】変更
【補正の内容】
【０００６】
上述した従来技術の問題点を解決し、上述した目的を達成するために、本発明の第１の観点の作業現場用サイネージシステムは、表示装置と通信ネットワークを介して通信を行い、前記表示装置に表示する画像を制御する表示制御装置を有し、前記表示制御装置は、前記表示装置に複数に表示された選択用画像が選択された場合に、当該選択された画像の前記表示装置への表示形態を指定する管理者用選択画面の表示処理と、前記管理者用選択画面で選択された画像を、前記指定された形態で前記表示装置に表示する表示処理とを行い、前記表示装置又は前記表示制御装置は、環境検出装置が検出した前記作業現場の環境計測情報の指標が示す数値の数値画像と、前記環境計測情報が示す指標のレベルに応じて規定された複数のイメージ画像とから構成される複数の表示画像情報を、前記環境計測情報に対応付けて記憶し、前記検出された環境計測情報に対応付けられた前記表示画像情報を特定し、当該特定した表示画像情報に応じた表示画像の表示処理を行う。
【手続補正３】
【補正対象書類名】明細書
【補正対象項目名】０００７
【補正方法】変更
【補正の内容】
【０００７】
本発明の第２の観点の作業現場用サイネージシステムは、表示装置と通信ネットワークを介して通信を行い、前記表示装置に表示する画像を制御する表示制御装置を有し、前記表示制御装置は、前記表示装置に複数に表示された選択用画像が選択された場合に、当該選択された画像の前記表示装置への表示形態を指定する管理者用選択画面の表示処理と、前記管理者用選択画面で選択された画像を、前記指定された形態で前記表示装置に表示する表示処理とを行い、前記表示装置又は前記表示制御装置は、環境検出装置が検出した前記作業現場の環境計測情報を数値で表示するための数値画像と、前記環境計測情報が示す指標のレベルに応じて規定された複数のイメージ画像とを、それぞれ前記環境計測情報に対応付けて記憶し、前記検出された環境計測情報に対応付けられた、当該環境計測情報に対応する前記数値画像と、前記イメージ画像とを特定し、当該特定した数値画像と前記イメージ画像とを関連付けて１画面の表示画像情報を生成し、当該生成した表示画像に応じた表示画像の表示処理を行う。
【手続補正４】
【補正対象書類名】明細書
【補正対象項目名】００１１
【補正方法】変更
【補正の内容】
【００１１】
好適には、前記表示装置又は前記表示制御装置は、前記表示装置の表示処理に用いられ、前記環境計測情報に対応付けられた異なる複数の第１の前記イメージ画像と、前記作業現場の作業員の携帯通信装置の画面への表示処理に用いられ、前記環境計測情報にそれぞれ対応付けられ、同一の前記環境計測情報に対応付けられた前記第１のイメージ画像とは異なる複数の第２のイメージ画像とを有し、前記検出された環境計測情報を基に、前記表示装置には前記第１のイメージ画像に応じた表示画像を表示する処理を行い、前記携帯通信装置には前記第２のイメージ画像に応じた表示画像を表示する処理を行う。
【手続補正５】
【補正対象書類名】明細書
【補正対象項目名】００１３
【補正方法】変更
【補正の内容】
【００１３】
好適には、前記表示装置又は前記表示制御装置は、前記第２のイメージ画像に応じた表示画像と前記環境計測情報とを前記携帯通信装置に送信し、前記携帯通信装置は、受信した前記表示画像を、前記環境計測情報と予め設定された設定情報とを基に画像処理を行って生成した新たな表示画像を表示する。
【手続補正６】
【補正対象書類名】明細書
【補正対象項目名】００１７
【補正方法】変更
【補正の内容】
【００１７】
表示装置と通信ネットワークを介して通信を行い、前記表示装置に表示する画像を制御する表示制御装置を用いて行う作業現場用サイネージ制御方法であって、前記表示装置又は前記表示制御装置は、環境検出装置が検出した前記作業現場の環境計測情報の指標が示す数値の数値画像と、前記環境計測情報が示す指標のレベルに応じて規定された複数のイメージ画像とから構成される複数の表示画像情報を、前記環境計測情報に対応付けて記憶しており、前記表示制御装置が、前記表示装置に複数に表示された選択用画像が選択された場合に、当該選択された画像の前記表示装置への表示形態を指定する管理者用選択画面の表示処理を行う第１の工程と、前記表示制御装置が、前記管理者用選択画面で選択された画像を、前記指定された形態で前記表示装置に表示する表示処理とを行う第２の工程と、前記表示装置又は前記表示制御装置が、環境検出装置が検出した前記作業現場の環境計測情報に対応付けられた前記表示画像情報を特定する第３の工程と、当該特定した表示画像情報に応じた表示画像の表示処理を行う第４の工程とを有する。
【手続補正７】
【補正対象書類名】明細書
【補正対象項目名】００１８
【補正方法】変更
【補正の内容】
【００１８】
本発明の表示装置は、表示装置であって、前記作業現場に設けられた環境検出装置が検出した前記作業現場の環境計測情報を数値で表示するための数値画像と、前記環境計測情報が示す指標のレベルに応じて規定された複数のイメージ画像とを、それぞれ前記環境計測情報に対応付けて記憶し、前記検出された環境計測情報に対応付けられた、当該環境計測情報に対応する前記数値画像と、前記イメージ画像とを特定し、当該特定した数値画像と前記イメージ画像とを関連付けて１画面の表示画像情報を生成し、当該生成した表示画像に応じた表示画像の表示処理を行う。
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
表示装置と、当該表示装置と通信ネットワークを介して通信を行い、前記表示装置に表示する画像を制御する表示制御装置とを有し、
前記表示制御装置は、
前記表示装置に複数に表示された選択用画像が選択された場合に、当該選択された画像の前記表示装置への表示形態を指定する管理者用選択画面の表示処理と、
前記管理者用選択画面で選択された画像を、前記指定された形態で前記表示装置に表示する表示処理とを行い、
前記表示装置又は前記表示制御装置は、
環境検出装置が検出した作業現場の環境計測情報の指標が示す数値の数値画像と、前記環境計測情報が示す指標のレベルに応じて規定された複数のイメージ画像とから構成される複数の表示画像情報を、前記環境計測情報に対応付けて記憶し、
前記検出された環境計測情報に対応付けられた前記表示画像情報を特定し、
当該特定した表示画像情報に応じた表示画像の表示処理を行う
作業現場用サイネージシステム。
【請求項２】
表示装置と、当該表示装置と通信ネットワークを介して通信を行い、前記表示装置に表示する画像を制御する表示制御装置とを有し、
前記表示制御装置は、
前記表示装置に複数に表示された選択用画像が選択された場合に、当該選択された画像の前記表示装置への表示形態を指定する管理者用選択画面の表示処理と、
前記管理者用選択画面で選択された画像を、前記指定された形態で前記表示装置に表示する表示処理とを行い、
前記表示装置又は前記表示制御装置は、
環境検出装置が検出した作業現場の環境計測情報を数値で表示するための数値画像と、前記環境計測情報が示す指標のレベルに応じて規定された複数のイメージ画像とを、それぞれ前記環境計測情報に対応付けて記憶し、
前記検出された環境計測情報に対応付けられた、当該環境計測情報に対応する前記数値画像と、前記イメージ画像とを特定し、
当該特定した数値画像と前記イメージ画像とを関連付けて１画面の表示画像情報を生成し、
当該生成した表示画像に応じた表示画像の表示処理を行う
作業現場用サイネージシステム。
【請求項３】
第１の前記環境計測情報に対応する第１の前記数値画像及び第１の前記イメージ画像と、
第２の前記環境計測情報に対応する第２の前記数値画像及び第２の前記イメージ画像と
を特定し、
前記特定した前記第１の数値画像と前記第１のイメージ画像とが関連付けられた第１の表示画像と、前記特定した前記第２の数値画像と前記第２のイメージ画像とが関連付けられた第２の表示画像とを含む１画面の前記表示画像情報を生成する
請求項１又は請求項２に記載の作業現場用サイネージシステム。
【請求項４】
前記環境計測情報に基づいて、前記第１の表示画像及び前記第２の表示画像の表示形態を決定する
請求項３に記載の作業現場用サイネージシステム。
【請求項５】
複数の前記表示装置を有し、
前記複数の表示装置は、同一の前記環境計測情報について、個々の前記表示装置の属性を応じた異なる前記イメージ画像が対応付けており、
当該対応付けられた前記イメージ画像に応じた表示処理を行う
請求項１〜４のいずれかに記載の作業現場用サイネージシステム。
【請求項６】
前記表示装置又は前記表示制御装置は、
前記表示装置の表示処理に用いられ、前記環境計測情報に対応付けられた異なる複数の第１の前記イメージ画像と、
前記作業現場の作業員の携帯通信装置の画面への表示処理に用いられ、前記環境計測情報にそれぞれ対応付けられ、同一の前記環境計測情報に対応付けられた前記第１のイメージ画像とは異なる複数の第２のイメージ画像とを有し、
前記検出された環境計測情報を基に、前記表示装置には前記第１のイメージ画像に応じた表示画像を表示する処理を行い、前記携帯通信装置には前記第２のイメージ画像に応じた表示画像を表示する処理を行う
請求項３〜５のいずれかに記載の作業現場用サイネージシステム。
【請求項７】
前記第１のイメージ画像及び前記第２のイメージ画像の前記環境計測情報への対応付けは、前記作業現場の周囲の環境、時間帯、気温、作業現場の作業内容、表示相手の属性の項目のうち、少なくとも２つ以上の項目の組み合わせによって規定されている
請求項６に記載の作業現場用サイネージシステム。
【請求項８】
前記表示装置又は前記表示制御装置は、前記第２のイメージ画像に応じた表示画像と前記環境計測情報とを前記携帯通信装置に送信し
前記携帯通信装置は、受信した前記表示画像を、前記環境計測情報と予め設定された設定情報とを基に画像処理を行って生成した新たな表示画像を表示する
請求項６又は請求項７に記載の作業現場用サイネージシステム。
【請求項９】
前記イメージ画像は、前記作業現場の周囲の環境、時間帯、気温、作業現場の作業内容、表示相手の属性別に、同一の前記環境計測情報の前記指標のレベルに応じて異なる複数のイメージ画像を有し、
前記表示装置又は前記表示制御装置は、
前記検出された環境計測情報を基に、予め指定された環境に応じて、前記環境計測情報に対応する前記数値画像と、前記イメージ画像とを特定する
請求項１〜８のいずれかに記載の作業現場用サイネージシステム。
【請求項１０】
任意に設定したタイミングで取得した前記環境計測情報を基に、その平均値算出、最大値あるいは最小値の特定を行って前記環境計測情報を生成する
請求項１〜９のいずれかに記載の作業現場用サイネージシステム。
【請求項１１】
前記表示装置又は前記表示制御装置は、
複数の種類の前記環境計測情報を１画面に表示し、各環境計測情報の項目の横にはグラフ表示ボタンを配置し、
当該グラフ表示ボタンが操作されると、それに対応した環境計測情報の項目の履歴情報を読み出して、当該履歴情報に応じた画像を表示する
請求項１〜１０のいずれかに記載の作業現場用サイネージシステム。
【請求項１２】
表示装置と、
前記表示装置と通信ネットワークを介して通信を行い、前記表示装置に表示する画像を制御する表示制御装置とを用いて行う作業現場用サイネージ制御方法であって、
前記表示装置又は前記表示制御装置は、環境検出装置が検出した作業現場の環境計測情報の指標が示す数値の数値画像と、前記環境計測情報が示す指標のレベルに応じて規定された複数のイメージ画像とから構成される複数の表示画像情報を、前記環境計測情報に対応付けて記憶しており、
前記表示制御装置が、前記表示装置に複数に表示された選択用画像が選択された場合に、当該選択された画像の前記表示装置への表示形態を指定する管理者用選択画面の表示処理を行う第１の工程と、
前記表示制御装置が、前記管理者用選択画面で選択された画像を、前記指定された形態で前記表示装置に表示する表示処理とを行う第２の工程と、
前記表示装置又は前記表示制御装置が、環境検出装置が検出した前記作業現場の環境計測情報に対応付けられた前記表示画像情報を特定する第３の工程と、
当該特定した表示画像情報に応じた表示画像の表示処理を行う第４の工程と
を有する作業現場用サイネージ制御方法。
【請求項１３】
表示装置であって、
作業現場に設けられた環境検出装置が検出した前記作業現場の環境計測情報を数値で表示するための数値画像と、前記環境計測情報が示す指標のレベルに応じて規定された複数のイメージ画像とを、それぞれ前記環境計測情報に対応付けて記憶し、
前記検出された環境計測情報に対応付けられた、当該環境計測情報に対応する前記数値画像と、前記イメージ画像とを特定し、
当該特定した数値画像と前記イメージ画像とを関連付けて１画面の表示画像情報を生成し、
当該生成した表示画像に応じた表示画像の表示処理を行う
表示装置。
【手続補正２】
【補正対象書類名】明細書
【補正対象項目名】０００６
【補正方法】変更
【補正の内容】
【０００６】
上述した従来技術の問題点を解決し、上述した目的を達成するために、本発明の第１の観点の作業現場用サイネージシステムは、表示装置と、当該表示装置と通信ネットワークを介して通信を行い、前記表示装置に表示する画像を制御する表示制御装置を有し、前記表示制御装置は、前記表示装置に複数に表示された選択用画像が選択された場合に、当該選択された画像の前記表示装置への表示形態を指定する管理者用選択画面の表示処理と、前記管理者用選択画面で選択された画像を、前記指定された形態で前記表示装置に表示する表示処理とを行い、前記表示装置又は前記表示制御装置は、環境検出装置が検出した前記作業現場の環境計測情報の指標が示す数値の数値画像と、前記環境計測情報が示す指標のレベルに応じて規定された複数のイメージ画像とから構成される複数の表示画像情報を、前記環境計測情報に対応付けて記憶し、前記検出された環境計測情報に対応付けられた前記表示画像情報を特定し、当該特定した表示画像情報に応じた表示画像の表示処理を行う。
【手続補正３】
【補正対象書類名】明細書
【補正対象項目名】０００７
【補正方法】変更
【補正の内容】
【０００７】
本発明の第２の観点の作業現場用サイネージシステムは、表示装置と、当該表示装置と通信ネットワークを介して通信を行い、前記表示装置に表示する画像を制御する表示制御装置とを有し、前記表示制御装置は、前記表示装置に複数に表示された選択用画像が選択された場合に、当該選択された画像の前記表示装置への表示形態を指定する管理者用選択画面の表示処理と、前記管理者用選択画面で選択された画像を、前記指定された形態で前記表示装置に表示する表示処理とを行い、前記表示装置又は前記表示制御装置は、環境検出装置が検出した前記作業現場の環境計測情報を数値で表示するための数値画像と、前記環境計測情報が示す指標のレベルに応じて規定された複数のイメージ画像とを、それぞれ前記環境計測情報に対応付けて記憶し、前記検出された環境計測情報に対応付けられた、当該環境計測情報に対応する前記数値画像と、前記イメージ画像とを特定し、当該特定した数値画像と前記イメージ画像とを関連付けて１画面の表示画像情報を生成し、当該生成した表示画像に応じた表示画像の表示処理を行う。